(57)【要約】【課題】中空パネル内に浸入した水抜きが容易なパネル用リテーナを提供すること。【解決手段】表裏一対のメインパネル部２１を有すると共に内部に中空部２００を有する中空パネル２を幅方向に複数連結してなる中空連結パネルの長手方向端部に被せるパネル用リテーナ３である。パネル用リテーナ３は、中空連結パネルの表側面に対面させる前板部３１と、裏側面に対面させる裏板部３２と、前板部３１と裏板部３２とを繋ぐと共に中空連結パネルの長手方向端面に当接させる底板部３３とより構成され、全体の断面形状が略コ字状を呈している。底板部３３には、幅方向両端に一対の当接平面３３１を残して幅方向中央部を厚み方向に窪ませた溝部３３０が全長にわたって形成されており、一対の当接平面３３１が中空パネル２の一対のメインパネル部２１の先端面２１０に当接するよう構成されている。【選択図】図１
2006224717.tif 000002
【特許請求の範囲】
【請求項１】
表裏一対のメインパネル部を有すると共に内部に中空部を有する中空パネルを幅方向に複数連結してなる中空連結パネルの長手方向端部に被せるパネル用リテーナであって、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されていることを特徴とするパネル用リテーナ。
【請求項２】
請求項１において、上記パネル用リテーナは、上記中空パネルの長手方向を鉛直方向に配した上記中空連結パネルである縦型パネルの下端部に配設されるものであることを特徴とするパネル用リテーナ。
【請求項３】
請求項１において、上記パネル用リテーナは、上記中空パネルの長手方向を水平方向に配した上記中空連結パネルである横型パネルの左右両端部に配設されるものであることを特徴とするパネル用リテーナ。
【請求項４】
請求項２において、上記貫通穴は、上記底板部の長手方向中央１箇所と両端近傍２箇所の合計３箇所のみに設けてあることを特徴とするパネル用リテーナ。
【請求項５】
請求項１〜４のいずれか１項において、上記前板部の上記高さ寸法は、上記裏板部の高さ寸法よりも小さいことを特徴とするパネル用リテーナ。
【請求項６】
複数の中空パネルを幅方向に連結してなる中空連結パネルであって、その長手方向端部には、請求項１〜５に記載のパネル用リテーナを配設してあることを特徴とする中空連結パネル。
【発明の詳細な説明】
【技術分野】
【０００１】
本発明は、トラックの荷台に配設されるあおり等に用いられる中空連結パネルを構成するパネル用リテーナに関する。
【背景技術】
【０００２】
トラックのあおり、あるいはドアパネルとしては、アルミニウム合金よりなる部品を組み合わせて構成された中空連結パネルが用いられている。中空連結パネルは、押出形材よりなる中空パネルを幅方向に嵌合連結して組み合わせて幅広のパネルとし、その長手方向両端及び幅方向両端を断面略コ字状のリテーナという部品により覆って固定している（例えば、特許文献１参照）。
【０００３】
例えば、図７に示すごとく、トラック９９のリアのドアパネル用の中空連結パネル９０１は、中空パネル２の長手方向を鉛直方向として組み立て、その左右両端及び上下両端にリテーナ９１、９２を配設し、表裏両方からリベットによりリテーナ９１、９２と中空パネル２とを固定している。
また、トラック９９の荷台の側面等に配されるあおり用の中空連結パネル９０２の場合には、上記ドアパネル用の中空連結パネル９０１の場合と９０度角度を変えて、中空パネル２の長手方向が水平方向となるように用いられる。
以下、適宜、中空パネルの長手方向を鉛直方向（縦）に配したパネルを縦型パネル、水平方向（横）に配したパネルを横型パネルという。
【０００４】
ところで、このような中空連結パネル９０１、９０２は、トラック９９に装着されて使用されるため、雨天の場合には雨に晒され、雨水がそれぞれの中空パネル２の内部に浸入することがある。浸入した水は、個々の中空パネル２内に溜まってしまう。そのため、例えば、縦型パネルの場合には、少なくとも下端のリテーナ９１の底面に貫通穴（図示略）を設けて、水抜き可能にしてある。このとき、個々の中空パネル２の開口端がリテーナ９１により塞がれた状態となっているため、上記貫通穴は、すべての中空パネル２に対面するように設ける必要がある。また、上記中空パネルの内部がリブにより仕切られて複数の中空部が形成されている場合には、そのすべての中空部に対面するように設ける必要があった。
また、横型パネルの場合には、中空パネルの長手方向端部における表裏一つのメインパネル部を繋ぐすべての部位、つまり、凸端部、凹端部及びリブに対して、水抜き通路を形成するための切り欠き部を設けていた。そして、鉛直状に並んだ切り欠き部を通して水を下方に落下させていた。
しかしながら、いずれの場合も、必ずしも十分な水抜き作用が得られない場合がある。
【０００５】
【特許文献１】特開平１０−４５０４０号公報
【発明の開示】
【発明が解決しようとする課題】
【０００６】
本発明は、かかる従来の問題点に鑑みてなされたもので、中空パネル内に浸入した水抜きが容易なパネル用リテーナを提供しようとするものである。
【課題を解決するための手段】
【０００７】
第１の発明は、表裏一対のメインパネル部を有すると共に内部に中空部を有する中空パネルを幅方向に複数連結してなる中空連結パネルの長手方向端部に被せるパネル用リテーナであって、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されていることを特徴とするパネル用リテーナにある（請求項１）。
【０００８】
本発明のパネル用リテーナ（以下、適宜、単にリテーナという）は、上記のごとく断面略コ字状を呈しており、その底板部に上記一対の当接平面および溝部を設けてある。これにより、本発明のリテーナを用いて構成した中空連結パネルは、水抜きが容易で中空パネル内に水が溜まることを防止することができる。
【０００９】
即ち、上記リテーナは、その底板部が、上記中空連結パネルを構成する各中空パネルの長手方向の開口端部に当接するように配設される。このとき、従来ならば、中空パネルの開口端部がリテーナの底板部により閉塞された状態となってしまう。しかし、本発明の場合には、底板部に上記溝部が全長にわたって設けてあり、かつ、その溝部の両側の当接平面に上記中空パネルのメインパネル部端面が当接する。そのため、中空パネルの開口端部が閉塞される状態にはならず、すべての中空パネル内の中空部が外部の溝部に連通している状態が実現する。そのため、中空パネル内に浸入した水は、その中空部に滞留することなく、まずは外部の溝部内に放たれる。
そのため、溝部を外部と通ずるような構造、例えば貫通穴等を設けることによって、簡単に水抜きできる構造を実現することができる。
【００１０】
このように、本発明のパネル用リテーナを用いれば、中空パネル内に浸入した水抜きが容易な中空連結パネルを構成することができる。
なお、上記リテーナは、中空パネルの長手方向端部だけでなく、幅方向端部に配設して用いることもできる。この場合にも、中空パネルの幅方向端部の構造によっては上記と同様の作用効果が得られる。
【００１１】
第２の発明は、複数の中空パネルを幅方向に連結してなる中空連結パネルであって、その長手方向端部には、第１の発明のパネル用リテーナを配設してあることを特徴とする中空連結パネルにある（請求項６）。
本発明の中空連結パネルは、上記の優れたリテーナを用いて構成してあるので、上述したような優れた水抜き効果を得ることができる。
【発明を実施するための最良の形態】
【００１２】
本発明のパネル用リテーナは、上記中空パネルの長手方向を鉛直方向に配した上記中空連結パネルである縦型パネルの下端部に配設されるものであることが好ましい（請求項２）。この場合には、上記溝部による作用効果を有効に発揮させることができる。
【００１３】
また、上記パネル用リテーナは、上記中空パネルの長手方向を水平方向に配した上記中空連結パネルである横型パネルの左右両端部に配設されるものであってもよい（請求項３）。この場合にも、上記溝部による作用効果を有効に発揮させることができる。
【００１４】
また、上記底板部の上記溝部には、外方に貫通する貫通穴が形成されていることが好ましい。この場合には、上記溝部に流入した水を上記貫通穴を介して外部を放出することが可能となる。
特に、上記中空パネルが縦型パネルの場合には、上記貫通穴は、上記底板部の長手方向中央１箇所と両端近傍２箇所の合計３箇所のみに設けてあることが好ましい（請求項４）。この場合には、溝部に流入した水を容易に外部へ放出することができる。また、このような３箇所のみの形成は、従来のリテーナを用いている場合には、中空連結パネル全体の中空部の数が３つ以上ある場合（通常は３つ以下の場合はない）には不可能な構成であり、上記溝部を有するリテーナを用いることによって、初めて実現できるものである。そのため、従来のような中空部の数だけ穴を設ける必要もないので、製造コストの低減を図ることができる。
【００１５】
なお、上記貫通穴を設ける水抜き機構は一例であって、上記溝部と外部とを連通する連通路さえ設ければ、外部への水抜きは可能である。
【００１６】
また、上記横型パネルの場合には、上記リテーナの長手方向が鉛直方向に配されるので、その下端部に水抜き機構さえ設ければ簡単に水抜きすることができる。
【００１７】
また、上記前板部の上記高さ寸法は、上記裏板部の高さ寸法よりも小さいことが好ましい（請求項５）。この場合には、例えば大量な水が上記中空連結パネル内に浸入してしまって急激にリテーナのコ字状内部に溜まる水嵩が増えた場合に、上記裏板部よりも先に前板部を水が越えて外部に出る。これにより、例えばトラックのドアに上記中空連結パネルを用いていた場合に、荷台内への水を侵入させることなく、前板部の上方から外部へ水を放出することが可能となる。
【実施例】
【００１８】
（実施例１）
本発明の実施例に係るパネル用リテーナ及び中空連結パネルにつき、図１〜図６を用いて説明する。
本例の中空連結パネル１は、図４に示すごとく、複数の中空パネル２を幅方向に連結してなり、その長手方向両端及び幅方向両端にリテーナ３、４を配設してある。
すなわち、本例の中空連結パネル１は縦型パネルであって、アルミニウム合金材よりなる押出成形品である中空パネル２を縦方向に向けて配列してある。そして、図３に示すごとく、この中空パネル２を連結して広幅のパネル（中空連結パネル）を組み立てた後、その上下端および左右端にリテーナ３、４を配置してリベット５（図４）によって固定することにより作製される。
【００１９】
図１に示すごとく、上記リテーナ３は、上記中空連結パネル１の表側面に対面させる前板部３１と、上記中空連結パネル１の裏側面に対面させる裏板部３２と、上記前板部３１と上記裏板部３２とを繋ぐと共に上記中空連結パネル１の長手方向端面に当接させる底板部３３とより構成され、リテーナ３全体の断面形状が略コ字状を呈している。そして、底板部３には、幅方向両端に一対の当接平面３３１を残して幅方向中央部を厚み方向に窪ませた溝部３３０が全長にわたって形成されており、一対の当接平面３３１が上記中空パネル２の一対のメインパネル部２１（図６）の先端面２１０に当接するよう構成されている。このリテーナ３もアルミニウム合金材の押出成形品である。
また、中空連結パネル１の左右端に配設されるリテーナ４も基本的にリテーナ３と同じ構造を採用した。
【００２０】
また、図２に示すごとく、リテーナ３の底板部３３の溝部３３０には、外方に貫通する貫通穴３３５が形成されている。本例では、同図に示すごとく、貫通穴３３５は、底板部３３の長手方向中央１箇所と両端近傍２箇所の合計３箇所のみに設けた。
また、図５に示すごとく、リテーナ３の底板部３３の溝部３３０の幅寸法Ｌ１は、中空パネル２を構成する表裏一対のメインパネル部２１（図６）の内間隔Ｌ２と略同一に設定した。なお、このＬ１とＬ２とは一致させる必要はないが、この構成によって、メインパネル部２１の先端面２１０とリテーナ３の底板部３３における当接平面３３１との当接状態を確実に確保するのが容易となる。
【００２１】
また、本例では、図１、図６に示すごとく、上記前板部３１の高さ寸法Ａは、裏板部３２の高さ寸法Ｂよりも小さくした。具体的には、その差Ｂ−Ａは５ｍｍとした。
【００２２】
ここで、中空パネル２を連結して構成した広幅の中空連結パネル１の基本構成を図６に示す。同図に示すごとく、各中空パネル２は、厚み方向に平行に配された表裏一対のメインパネル部２１と、幅方向端部に形成された凸端部２２および凹端部２３の少なくとも一方を備えている。そして、隣り合う中空パネル２は、凸端部２２と凹端部２３を互いに嵌合させることにより連結してある。なお、凸端部２２と凹端部２３の構成については、様々なものがあり、また、改良も進んでいる。
そして、上記中空パネル２を嵌合連結した後に、前述した図３に示すごとく、上下左右にリテーナ３、４を設けてリベット止めすることによって本例の中空連結パネル１が得られる。
【００２３】
以上のような構成を有する本例の中空連結パネル１は、上記リテーナ３を備えていることによって、非常に優れたものとなる。
すなわち、本例のパネル用リテーナ３は、上記のごとく断面略コ字状を呈しており、その底板部３３に溝部３３０を設けてある。そして、図５に示すごとく、リテーナ３は、中空連結パネル１を構成する各中空パネル２におけるメインパネル部２１の長手方向の先端面２１０に、底板部３３の当接平面３３１が当接するように配設される。このとき、底板部３３に上記溝部３３０が全長にわたって設けてあるので、中空パネル２の開口端部が閉塞される状態にはならず、すべての中空パネル２内の中空部２００が外部の溝部に連通している状態が実現する。そのため、中空パネル２内に浸入した水は、その中空部２００に滞留することなく、まずは中空部の外部の溝部３３０に放たれ、その後、貫通穴３３５からリテーナ３の外部へ放たれる。
【００２４】
そして、本例では、隣り合う中空パネル２の中空部２００がリテーナ３の溝部３３０によって連通した状態になるので、リテーナ３に設ける水抜き用の貫通穴３３５の数を従来よりも大幅に低減することができる。実際、本例では、３個のみにしてある。
【００２５】
また、例えば中空パネルの長手方向を水平方向に向けた横型パネルの場合にも、隣り合う中空パネルの中空部が上記リテーナの溝部によって連通した状態になるので、鉛直方向に配される上記リテーナの下端部に水抜き機構さえ設ければ簡単に水抜きすることができる。
【００２６】
さらに、本例では、図１、図５に示すごとく、上記前板部３１の高さ寸法Ａは、裏板部３２の高さ寸法Ｂよりも小さくした。これによって、例えば、万が一、大量な水が上記中空連結パネル１の中空パネル２内に浸入してしまって急激にリテーナ３のコ字状内部に溜まる水嵩が増えた場合にも、裏板部３２よりも先に前板部３１を水が越えて外部に出る。これにより、例えばトラックのドアに中空連結パネル１を用いていた場合に、荷台内への水を侵入させることなく、前板部３１の上方から外部へ水を放出することが可能となる。
【図面の簡単な説明】
【００２７】
【図１】実施例１における、パネル用リテーナの一部切り欠き斜視図。
【図２】実施例１における、パネル用リテーナの底面図。
【図３】実施例１における、中空連結パネルの構成を示す展開図。
【図４】実施例１における、中空連結パネルの斜視図。
【図５】実施例１における、のパネル用リテーナの組み付け状態の断面図（図４のＸ−Ｘ線矢視断面図）。
【図６】実施例１の中空パネルの連結構造を示す説明図（図３のＹ−Ｙ線矢視断面図）。
【図７】従来例における、トラックの荷台の構成を示す説明図。
【符号の説明】
【００２８】
１  中空連結パネル
２  中空パネル
２１  メインパネル部
２１０  先端面
３、４  パネル用リテーナ
３１  前板部
３２  裏板部
３３  底板部
３３０  溝部
３３１  当接平面
３３５  貫通穴
【図１】
2006224717.tif 000003
【図２】
2006224717.tif 000004
【図３】
2006224717.tif 000005
【図４】
2006224717.tif 000006
【図５】
2006224717.tif 000007
【図６】
2006224717.tif 000008
【図７】
2006224717.tif 000009
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
表裏一対のメインパネル部を有すると共に内部に中空部を有する中空パネルを幅方向に複数連結してなる中空連結パネルの長手方向端部に被せるパネル用リテーナであって、上記中空パネルの長手方向を鉛直方向に配した上記中空連結パネルである縦型パネルの下端部に配設されるパネル用リテーナであって、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されており、
上記前板部の上記高さ寸法は、上記裏板部の高さ寸法よりも小さいことを特徴とするパネル用リテーナ。
【請求項２】
請求項１において、上記底板部の上記溝部には、外方に貫通する貫通穴が形成されており、該貫通穴は、上記底板部の長手方向中央１箇所と両端近傍２箇所の合計３箇所のみに設けてあることを特徴とするパネル用リテーナ。
【請求項３】
複数の中空パネルを幅方向に連結してなる中空連結パネルであって、その長手方向端部には、請求項１又は２に記載のパネル用リテーナを配設してあることを特徴とする中空連結パネル。
【手続補正２】
【補正対象書類名】明細書
【補正対象項目名】０００７
【補正方法】変更
【補正の内容】
【０００７】
第１の発明は、表裏一対のメインパネル部を有すると共に内部に中空部を有する中空パネルを幅方向に複数連結してなる中空連結パネルの長手方向端部に被せるパネル用リテーナであって、上記中空パネルの長手方向を鉛直方向に配した上記中空連結パネルである縦型パネルの下端部に配設されるパネル用リテーナであって、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されており、
上記前板部の上記高さ寸法は、上記裏板部の高さ寸法よりも小さいことを特徴とするパネル用リテーナにある（請求項１）。
【手続補正３】
【補正対象書類名】明細書
【補正対象項目名】００１１
【補正方法】変更
【補正の内容】
【００１１】
第２の発明は、複数の中空パネルを幅方向に連結してなる中空連結パネルであって、その長手方向端部には、第１の発明のパネル用リテーナを配設してあることを特徴とする中空連結パネルにある（請求項３）。
本発明の中空連結パネルは、上記の優れたリテーナを用いて構成してあるので、上述したような優れた水抜き効果を得ることができる。
【手続補正４】
【補正対象書類名】明細書
【補正対象項目名】００１２
【補正方法】変更
【補正の内容】
【００１２】
本発明のパネル用リテーナは、上記中空パネルの長手方向を鉛直方向に配した上記中空連結パネルである縦型パネルの下端部に配設されるものである。これにより、上記溝部による作用効果を有効に発揮させることができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、上記底板部の上記溝部には、外方に貫通する貫通穴が形成されており、該貫通穴は、上記底板部の長手方向中央１箇所と両端近傍２箇所の合計３箇所のみに設けてあることが好ましい（請求項２）。この場合には、溝部に流入した水を容易に外部へ放出することができる。また、このような３箇所のみの形成は、従来のリテーナを用いている場合には、中空連結パネル全体の中空部の数が３つ以上ある場合（通常は３つ以下の場合はない）には不可能な構成であり、上記溝部を有するリテーナを用いることによって、初めて実現できるものである。そのため、従来のような中空部の数だけ穴を設ける必要もないので、製造コストの低減を図ることができる。
【手続補正７】
【補正対象書類名】明細書
【補正対象項目名】００１７
【補正方法】変更
【補正の内容】
【００１７】
また、上記前板部の上記高さ寸法は、上記裏板部の高さ寸法よりも小さい。この場合には、例えば大量な水が上記中空連結パネル内に浸入してしまって急激にリテーナのコ字状内部に溜まる水嵩が増えた場合に、上記裏板部よりも先に前板部を水が越えて外部に出る。これにより、例えばトラックのドアに上記中空連結パネルを用いていた場合に、荷台内への水を侵入させることなく、前板部の上方から外部へ水を放出することが可能となる。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
表裏一対のメインパネル部を有すると共に内部に水が浸入しうる中空部を有する中空パネルを幅方向に複数連結してなると共に、トラックの荷台の側面等に配設される中空連結パネルの長手方向端部に被せるパネル用リテーナであって、上記中空パネルの長手方向を鉛直方向に配した上記中空連結パネルである縦型パネルの下端部に配設される上記パネル用リテーナにおいて、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されており、
上記前板部の上記高さ寸法は、上記裏板部の高さ寸法よりも小さく、上記前板部がトラックの荷台の外部に向けて配設されることを特徴とするパネル用リテーナ。
【請求項２】
請求項１において、上記底板部の上記溝部には、外方に貫通する貫通穴が形成されており、該貫通穴は、上記底板部の長手方向中央１箇所と両端近傍２箇所の合計３箇所のみに設けてあることを特徴とするパネル用リテーナ。
【請求項３】
複数の中空パネルを幅方向に連結してなる中空連結パネルであって、その長手方向端部には、請求項１又は２に記載のパネル用リテーナを配設してあることを特徴とする中空連結パネル。
【手続補正２】
【補正対象書類名】明細書
【補正対象項目名】０００７
【補正方法】変更
【補正の内容】
【０００７】
第１の発明は、表裏一対のメインパネル部を有すると共に内部に水が浸入しうる中空部を有する中空パネルを幅方向に複数連結してなると共に、トラックの荷台の側面等に配設される中空連結パネルの長手方向端部に被せるパネル用リテーナであって、上記中空パネルの長手方向を鉛直方向に配した上記中空連結パネルである縦型パネルの下端部に配設される上記パネル用リテーナにおいて、
該パネル用リテーナは、上記中空連結パネルの表側面に対面させる前板部と、上記中空連結パネルの裏側面に対面させる裏板部と、上記前板部と上記裏板部とを繋ぐと共に上記中空連結パネルの長手方向端面に当接させる底板部とより構成され、該パネル用リテーナ全体の断面形状が略コ字状を呈しており、
上記底板部には、幅方向両端に一対の当接平面を残して幅方向中央部を厚み方向に窪ませた溝部が全長にわたって形成されており、
上記一対の当接平面が上記中空パネルの上記一対のメインパネル部の先端面に当接するよう構成されており、
上記前板部の上記高さ寸法は、上記裏板部の高さ寸法よりも小さく、上記前板部がトラックの荷台の外部に向けて配設されることを特徴とするパネル用リテーナにある（請求項１）。